(57)【特許請求の範囲】
【請求項１】
太陽電池パネルの一辺を保持する主枠部材と、前記一辺と隣接する隣接辺を保持する副枠部材との組を複数用いて太陽電池パネルを保持している太陽電池モジュールであって、
前記主枠部材は、前記太陽電池パネルの一辺に沿って形成された主外壁と、該主外壁の上部の内側に、上下に、内側に張出して設けられ、相互間に前記太陽電池パネルを嵌め込んで保持する主保持上片、及び、主保持下片と、該主保持下片の下方で前記主外壁の内側に、該主外壁に沿って、前記主保持上片、及び、前記主保持下片よりも内側に長く張出して形成された主底部片と、を備えて形成されると共に、
前記副枠部材は、前記太陽電池パネルの隣接辺に沿って形成された副外壁と、該副外壁の上部の内側に、上下に、内側に張出して設けられ、相互間に太陽電池パネルを嵌め込んで保持する副保持上片、及び、副保持下片と、前記副外壁の下端の内側に、該副外壁に沿って内側に張出して形成された副底辺片と、該副底辺片と前記副保持下片とを結んで前記副外壁と平行に形成された副内壁と、該副内壁の内側に、該副内壁に沿って、前記副保持上片、及び、前記副保持下片よりも内側に長く張出して形成された副底部片と、を備えて形成され、
前記主枠部材の主外壁の端部における前記主保持上片、及び、前記主保持下片が、前記主外壁の端縁から、前記副枠部材の副保持上片、及び、副保持下片の張出し長さと略同じ幅削除されて、前記主外壁の端部の内側に平坦な主外壁端部内側面が形成されると共に、該主外壁端部内側面に、前記副枠部材の端部の端面が当接して、前記主枠部材と前記副枠部材とが結合されており、
前記主底部片と前記副底部片とは、相互に衝突しないように、双方の張出し位置高さが異なるように形成され、
前記主枠部材の前記主底部片は、前記主外壁の下端の内側に張出して形成され、該主底部片を用いて前記太陽電池モジュールの設置における固定が行われると共に、
前記副枠部材の前記副底部片は、前記主底部片の上方に位置するように、内側に張出して形成され、
前記副枠部材の副底部片は、該副底部片の側端近傍の下面が、前記主枠部材の主底部片の側端近傍の上面と接面するように形成されていることを特徴とする太陽電池モジュール。
【請求項２】
太陽電池パネルの一辺を保持する主枠部材と、前記一辺と隣接する隣接辺を保持する副枠部材との組を複数用いて太陽電池パネルを保持している太陽電池モジュールであって、
前記主枠部材は、前記太陽電池パネルの一辺に沿って形成された主外壁と、該主外壁の上部の内側に、上下に、内側に張出して設けられ、相互間に前記太陽電池パネルを嵌め込んで保持する主保持上片、及び、主保持下片と、該主保持下片の下方で前記主外壁の内側に、該主外壁に沿って、前記主保持上片、及び、前記主保持下片よりも内側に長く張出して形成された主底部片と、を備えて形成されると共に、
前記副枠部材は、前記太陽電池パネルの隣接辺に沿って形成された副外壁と、該副外壁の上部の内側に、上下に、内側に張出して設けられ、相互間に太陽電池パネルを嵌め込んで保持する副保持上片、及び、副保持下片と、該副保持下片の下方で前記副外壁の内側に、該副外壁に沿って、前記副保持上片、及び、前記副保持下片よりも内側に長く張出して形成された副底部片と、を備えて形成され、
前記主枠部材の主外壁の端部における前記主保持上片、及び、前記主保持下片が、前記主外壁の端縁から、前記副枠部材の副保持上片、及び、副保持下片の張出し長さと略同じ幅削除されて、前記主外壁の端部の内側に平坦な主外壁端部内側面が形成されると共に、該主外壁端部内側面に、前記副枠部材の端部の端面が当接して、前記主枠部材と前記副枠部材とが結合されており、
前記主底部片と前記副底部片とは、相互に衝突しないように、双方の張出し位置高さが異なるように形成され、
前記主枠部材の前記主底部片は、前記主外壁の下端の内側に張出して形成され、該主底部片を用いて前記太陽電池モジュールの設置における固定が行われると共に、
前記副枠部材の前記副底部片は、前記主底部片の上方に位置するように、内側に張出して形成され、
前記副枠部材の副底部片は、該副底部片の側端近傍の下面が、前記主枠部材の主底部片の側端近傍の上面と接面するように形成されていることを特徴とする太陽電池モジュール。
【請求項３】
太陽電池パネルの一辺を保持する主枠部材と、前記一辺と隣接する隣接辺を保持する副枠部材との組を複数用いて太陽電池パネルを保持している太陽電池モジュールであって、
前記主枠部材は、前記太陽電池パネルの一辺に沿って形成された主外壁と、該主外壁の上部の内側に、上下に、内側に張出して設けられ、相互間に前記太陽電池パネルを嵌め込んで保持する主保持上片、及び、主保持下片と、該主保持下片の下方で前記主外壁の内側に、該主外壁に沿って、前記主保持上片、及び、前記主保持下片よりも内側に長く張出して形成された主底部片と、を備えて形成されると共に、
前記副枠部材は、前記太陽電池パネルの隣接辺に沿って形成された副外壁と、該副外壁の上部の内側に、上下に、内側に張出して設けられ、相互間に太陽電池パネルを嵌め込んで保持する副保持上片、及び、副保持下片と、前記副外壁の下端の内側に、該副外壁に沿って内側に張出して形成された副底辺片と、該副底辺片と前記副保持下片とを結んで前記副外壁と平行に形成された副内壁と、該副内壁の内側に、該副内壁に沿って、前記副保持上片、及び、前記副保持下片よりも内側に長く張出して形成された副底部片と、を備えて形成され、
前記主枠部材の主外壁の端部における前記主保持上片、及び、前記主保持下片が、前記主外壁の端縁から、前記副枠部材の副保持上片、及び、副保持下片の張出し長さと略同じ幅削除されて、前記主外壁の端部の内側に平坦な主外壁端部内側面が形成されると共に、該主外壁端部内側面に、前記副枠部材の端部の端面が当接して、前記主枠部材と前記副枠部材とが結合されており、
前記主底部片と前記副底部片とは、相互に衝突しないように、双方の張出し位置高さが異なるように形成され、
前記副枠部材の前記副底部片は、前記副内壁、又は、前記副外壁の下端の内側に張出して形成され、該副底部片を用いて前記太陽電池モジュールの設置における固定が行われると共に、
前記主枠部材の前記主底部片は、前記副底部片の上方に位置するように、前記主外壁の内側に張出して形成され、
前記主枠部材の前記主底部片は、該主底部片の側端近傍の下面が、前記副枠部材の前記副底部片の側端近傍の上面と接面するように形成されていることを特徴とする太陽電池モジュール。
【請求項４】
太陽電池パネルの一辺を保持する主枠部材と、前記一辺と隣接する隣接辺を保持する副枠部材との組を複数用いて太陽電池パネルを保持している太陽電池モジュールであって、
前記主枠部材は、前記太陽電池パネルの一辺に沿って形成された主外壁と、該主外壁の上部の内側に、上下に、内側に張出して設けられ、相互間に前記太陽電池パネルを嵌め込んで保持する主保持上片、及び、主保持下片と、該主保持下片の下方で前記主外壁の内側に、該主外壁に沿って、前記主保持上片、及び、前記主保持下片よりも内側に長く張出して形成された主底部片と、を備えて形成されると共に、
前記副枠部材は、前記太陽電池パネルの隣接辺に沿って形成された副外壁と、該副外壁の上部の内側に、上下に、内側に張出して設けられ、相互間に太陽電池パネルを嵌め込んで保持する副保持上片、及び、副保持下片と、該副保持下片の下方で前記副外壁の内側に、該副外壁に沿って、前記副保持上片、及び、前記副保持下片よりも内側に長く張出して形成された副底部片と、を備えて形成され、
前記主枠部材の主外壁の端部における前記主保持上片、及び、前記主保持下片が、前記主外壁の端縁から、前記副枠部材の副保持上片、及び、副保持下片の張出し長さと略同じ幅削除されて、前記主外壁の端部の内側に平坦な主外壁端部内側面が形成されると共に、該主外壁端部内側面に、前記副枠部材の端部の端面が当接して、前記主枠部材と前記副枠部材とが結合されており、
前記主底部片と前記副底部片とは、相互に衝突しないように、双方の張出し位置高さが異なるように形成され、
前記副枠部材の前記副底部片は、前記副内壁、又は、前記副外壁の下端の内側に張出して形成され、該副底部片を用いて前記太陽電池モジュールの設置における固定が行われると共に、
前記主枠部材の前記主底部片は、前記副底部片の上方に位置するように、前記主外壁の内側に張出して形成され、
前記主枠部材の前記主底部片は、該主底部片の側端近傍の下面が、前記副枠部材の前記副底部片の側端近傍の上面と接面するように形成されていることを特徴とする太陽電池モジュール。
【発明の詳細な説明】
【技術分野】
【０００１】
本発明は、太陽電池パネルの一辺を保持する主枠部材と、一辺と隣接する隣接辺を保持する副枠部材との組を複数備えた太陽電池モジュールに関する。
【背景技術】
【０００２】
太陽電池モジュールは、一般的に、太陽電池パネルと、この太陽電池パネルを保持する枠部材とで構成されている。この太陽電池モジュールに使用される枠部材には、種々の構造のものが知られている。
【０００３】
この枠部材には、この枠部材の構造として、太陽電池パネルの一辺に沿って垂直に形成された外壁と、この外壁の上部に水平に形成され、断面がコの字形をした太陽電池パネル保持部を備えた構造の枠部材が知られている。
【０００４】
この枠部材では、断面がコの字形をした太陽電池パネル保持部に太陽電池パネルの辺を挿入することで、この枠部材に太陽電池パネルを保持することにより、太陽電池モジュールを形成している。
【０００５】
又、この枠部材では、太陽電池モジュールを設置場所に固定するために、この枠部材の外壁の下端に、水平に張出した底部片が備えられている。このような枠部材を用いた太陽電池モジュールは、種々のものが、従来から知られている（例えば、特許文献１の図１〜図３参照）。
【０００６】
特許文献１に記載の太陽電池モジュールでは、この太陽電池モジュールに用いられている枠部材の下端に備えられている底部片は、枠部材の下端から太陽電池パネル側（内側）とは反対の外側を向いて張出している。
【特許文献１】特開平９−９６０７１号公報
【発明の開示】
【発明が解決しようとする課題】
【０００７】
ところで、特許文献１に記載の太陽電池モジュールでは、この太陽電池モジュールに用いられている枠部材の下端に備えられている底部片は、上述したように、枠部材の下端から太陽電池パネル側（内側）とは反対の外側を向いて張出している。
【０００８】
そうすると、このような太陽電池モジュールを並べて設置する場合に、枠部材の下端に外側を向いて張出している底部片のため、隣に設置される太陽電池モジュールとの間に、この底部片を配設するスペースが必要なことから、設置スペースに無駄が生じることになる。
【０００９】
そこで、これを解決するために、太陽電池モジュールを固定するのに用いられる枠部材の底部片が、枠部材の下端から太陽電池パネル側（内側）を向いて張出している枠部材が提案されている。図３１は、このような枠部材を用いた従来例の太陽電池モジュール３の構造を示した部分分解斜視図、図３２は、その部分平面図、図３３は、図３２のＧ−Ｇ断面図、図３４、及び、図３５は、この太陽電池モジュール３に使用されている主枠部材５０、及び、副枠部材６０の端部の形状を示した図面であり、それぞれ、（ａ）は、部分平面図、（ｂ）は、正面図、そして、（ｃ）は、部分側面図である。尚、図３２、及び、図３３では、太陽電池パネル９は省略されている。
【００１０】
この従来例の太陽電池モジュール３は、次のような構造をしている。即ち、図３１〜図３５において、太陽電池パネル９は、矩形状であり、この太陽電池パネル９の一辺を保持する主枠部材５０と、この一辺と隣接する隣接辺を保持する副枠部材６０との組を２組用いて、太陽電池パネル９を保持している。
【００１１】
上記の主枠部材５０は、図３４に示すように、主外壁３１、主保持上片３２、主保持下片３３、主底辺片３４、主内壁３５、及び、主底部片３６で構成されている。主外壁３１は、太陽電池パネル９の一辺に沿って垂直に形成されている。主保持上片３２、主保持下片３３は、上記主外壁３１の上部の内側に、上下に、共に略同じ長さで水平に張出して設けられ、相互間に太陽電池パネル９を嵌め込んで保持している。
【００１２】
又、主底辺片３４は、主外壁３１の下端の内側に、この主外壁３１に沿って水平に張出して形成されている。主内壁３５は、主底辺片３４の先端と主保持下片３３の先端とを結んで主外壁３１と平行に形成されている。そして、主底部片３６は、主内壁３５の下端の内側に、該主内壁３５に沿って水平に、主保持上片３２、及び、主保持下片３３よりも長く張出して形成されている。この主底部片３６を用いて、この太陽電池モジュール３の設置における固定が行われる。即ち、主底部片３６に設けられた取付穴を用いて、ボルト等により固定される。
【００１３】
又、副枠部材６０は、上記の主枠部材５０と同様に構成されており、図３５に示すように、副外壁４１、副保持上片４２、副保持下片４３、副底辺片４４、副内壁４５、及び、副底部片４６で構成されている。副外壁４１は、太陽電池パネル９の上記の一辺に隣接する隣接辺に沿って垂直に形成されている。副保持上片４２、副保持下片４３は、上記の副外壁４１の上部の内側に、上下に、共に略同じ長さで水平に張出して設けられ、相互間に太陽電池パネル９を嵌め込んで保持している。
【００１４】
又、副底辺片４４は、副外壁４１の下端の内側に、この副外壁４１に沿って水平に張出して形成されている。副内壁４５は、副底辺片４４の先端と副保持下片４３の先端とを結んで副外壁４１と平行に形成されている。そして、副底部片４６は、副内壁４５の下端の内側に、該副内壁４５に沿って水平に、副保持上片４２、及び、副保持下片４３よりも長く張出して形成されている。この副底部片４６を、主底部片３６と同様に用いて、この太陽電池モジュール３の設置における固定が行われる。即ち、主底部片３６と同様、副底部片４６に設けられた取付穴を用いて、ボルト等により固定される。
【００１５】
上記の太陽電池モジュール３では、上述したように、主枠部材３０の主底部片３６が、主内壁３５の下端から内側へ、又、副枠部材４０の副底部片４６が、副内壁４５の下端から内側へ、それぞれ、張出して形成されている。従って、この状態で、主枠部材３０と副枠部材４０に太陽電池パネル９の辺を嵌込もうとすると、主底部片３６と副底部片４６とが衝突して、主枠部材３０と副枠部材４０とを結合することができず、このため、太陽電池モジュール３を形成することができない。
【００１６】
そこで、上記の太陽電池モジュール３では、主枠部材５０の主外壁３１の端部における主保持上片３２、主保持下片３３、主底辺片３４、主内壁３５、及び、主底部片３６を、主外壁の端縁から、副枠部材６０の副保持上片４２、副保持下片４３、及び、副底辺片４４の張出し長さと同じ幅だけ削除して、主外壁３１の端部の内側に、平坦な主外壁端部内側面３７を形成する（図３１、図３４参照）。
【００１７】
さらに、副枠部材６０の副外壁４１の端部における副底部片４６を、副外壁４１の端縁から、主枠部材５０の主底部片３６の張出し長さと同じ幅だけ削除して、副外壁４１の端部の内側に、副底部片４６が副内壁４５の下端から張出していない副内壁端部内側面４７を形成する（図３１、図３５参照）。
【００１８】
その上で、主枠部材５０の主外壁端部内側面３７に、副枠部材６０の端部の端部端面６ａを当接させると共に、副枠部材６０の副保持上片４２の先端面に、主枠部材５０の主保持上片３２の端面を、又、副枠部材６０の副内壁端部内側面４７に、主枠部材５０の主保持下片３３、主底辺片３４、主内壁３５、及び、主底部片３６の各端面を当接させることにより、主枠部材５０と副枠部材６０とを、ビス穴３９とビス受け４８を用いてビスにより結合して、太陽電池モジュール３を形成している（図３１〜図３３参照）。
【００１９】
上述したように、上記の太陽電池モジュール３では、太陽電池モジュール３を形成するのに際し、主枠部材５０と副枠部材６０とを結合するために、主枠部材５０には、主外壁端部内側面３７を、又、副枠部材６０には、副内壁端部内側面４７を形成する必要があり、このため、主枠部材５０と副枠部材６０の双方に対して、端部を切削する必要があった。
【００２０】
そこで、この発明は、このような状況を改善するためになされたものであって、副枠部材の端部を主枠部材の端部に当接させて主枠部材と副枠部材とを結合させることにより形成される太陽電池モジュールにおいて、太陽電池モジュールを固定するのに用いられる枠部材の底部片が、枠部材の下端から太陽電池パネル側（内側）を向いて張出している枠部材を用いると共に、枠部材の端部の切削を、主枠部材又は副枠部材のいずれか一方のみしか必要としないで構成可能な、太陽電池モジュールを提供しようとするものである。
【課題を解決するための手段】
【００２１】
本発明の第１の太陽電池モジュールは、太陽電池パネルの一辺を保持する主枠部材と、この一辺と隣接する隣接辺を保持する副枠部材との組を複数用いて太陽電池パネルを保持している太陽電池モジュールである。
【００２２】
上記の主枠部材は、主外壁、主保持上片、主保持下片、及び、主底部片で構成される。この内、主外壁は、太陽電池パネルの一辺に沿って形成される。主保持上片、及び、主保持下片は、主外壁の上部の内側に、上下に、内側に張出して設けられ、相互間に太陽電池パネルを嵌め込んで保持する機能を備えている。そして、主底部片は、主保持下片の下方で主外壁の内側に、該主外壁に沿って、主保持上片、及び、主保持下片よりも長く内側に張出して形成される。
【００２３】
又、上記の副枠部材は、副外壁、副保持上片、副保持下片、副底辺片、副内壁、及び、副底部片で構成される。この内、副外壁は、太陽電池パネルの隣接辺に沿って形成される。副保持上片、及び、副保持下片は、副外壁の上部の内側に、上下に、内側に張出して設けられ、相互間に太陽電池パネルを嵌め込んで保持する機能を備えている。副底辺片は、副外壁の下端の内側に、該副外壁に沿って内側に張出して形成される。副内壁は、副底辺片と副保持下片とを結んで副外壁と平行に形成される。そして、副底部片は、副内壁の内側に、該副内壁に沿って、副保持上片、及び、副保持下片よりも長く内側に張出して形成される。
【００２４】
上記の第１の太陽電池モジュールでは、主枠部材の主外壁の端部における主保持上片、及び、主保持下片が、主外壁の端縁から、副枠部材の副保持上片、及び、副保持下片の張出し長さと略同じ幅削除されて、主外壁の端部の内側に平坦な主外壁端部内側面が形成されると共に、該主外壁端部内側面に、副枠部材の端部の端面が当接して、主枠部材と副枠部材とが結合される。この際に、主枠部材の主底部片と副枠部材の副底部片とは、相互に衝突しないように、上記の太陽電池モジュールでは、双方の張出し位置高さが異なるように形成されることを特徴としている。
【００２５】
上記の第１の太陽電池モジュールでは、上述したように、主枠部材の主底部片と副枠部材の副底部片とは、相互に衝突しないように、双方の張出し位置高さが異なるように形成される。
【００２６】
そのため、上記の第１の太陽電池モジュールでは、主枠部材の主外壁の端部における主保持上片、及び、主保持下片を主外壁の端縁から、副枠部材の副保持上片、及び、副保持下片の張出し長さと同じ幅削除して、主外壁の端部の内側に平坦な主外壁端部内側面を形成するのみで、該主外壁端部内側面に、副枠部材の端部の端面を当接させることにより、主枠部材と副枠部材とを結合させることができる。即ち、主枠部材の主外壁の端部を切削して主外壁端部内側面を形成するのみで、主枠部材と副枠部材とを結合させることができる。
【００２７】
尚、この場合、一般的には、主底部片と副底部片のいずれか張出し位置高さの低い方が、太陽電池モジュールの固定に用いられるのが好ましい。従って、副枠部材の端部を主枠部材の端部に当接させて主枠部材と副枠部材とを結合させることにより形成される太陽電池モジュールにおいて、太陽電池モジュールを固定するのに用いられる枠部材の底部片が、枠部材の下端から太陽電池パネル側（内側）を向いて張出している枠部材を用いると共に、枠部材の端部の切削を、主枠部材又は副枠部材のいずれか一方のみしか必要としないで、太陽電池モジュールを構成することができる。
【００２８】
本発明の第２の太陽電池モジュールは、上記の第１の太陽電池モジュールと同様、太陽電池パネルの一辺を保持する主枠部材と、この一辺と隣接する隣接辺を保持する副枠部材との組を複数用いて太陽電池パネルを保持している太陽電池モジュールである。
【００２９】
上記の主枠部材は、上記の第１の太陽電池モジュールと同様、主外壁、主保持上片、主保持下片、及び、主底部片で構成される。この内、主外壁は、太陽電池パネルの一辺に沿って形成される。主保持上片、及び、主保持下片は、主外壁の上部の内側に、上下に、内側に張出して設けられ、相互間に太陽電池パネルを嵌め込んで保持する機能を備えている。そして、主底部片は、主保持下片の下方で主外壁の内側に、該主外壁に沿って、主保持上片、及び、主保持下片よりも長く内側に張出して形成される。
【００３０】
又、上記の副枠部材は、上記の第１の太陽電池モジュールと異なり、副外壁、副保持上片、副保持下片、及び、副底部片で構成される。この内、副外壁は、太陽電池パネルの隣接辺に沿って形成される。副保持上片、及び、副保持下片は、副外壁の上部の内側に、上下に、内側に張出して設けられ、相互間に太陽電池パネルを嵌め込んで保持する機能を備えている。そして、副底部片は、副保持下片の下方で副外壁の内側に、該副外壁に沿って、副保持上片、及び、副保持下片よりも長く内側に張出して形成される。
【００３１】
上記の第２の太陽電池モジュールでは、主枠部材の主外壁の端部における主保持上片、及び、主保持下片が、主外壁の端縁から、副枠部材の副保持上片、及び、副保持下片の張出し長さと略同じ幅削除されて、主外壁の端部の内側に平坦な主外壁端部内側面が形成されると共に、該主外壁端部内側面に、副枠部材の端部の端面が当接して、主枠部材と副枠部材とが結合される。この際に、主枠部材の主底部片と副枠部材の副底部片とは、相互に衝突しないように、上記の第２の太陽電池モジュールでは、上記の第１の太陽電池モジュールと同様、双方の張出し位置高さが異なるように形成されることを特徴としている。
【００３２】
上記の第２の太陽電池モジュールでは、上記の第１の太陽電池モジュールと同様、主枠部材の主底部片と副枠部材の副底部片とは、相互に衝突しないように、双方の張出し位置高さが異なるように形成される。
【００３３】
そのため、上記の第２の太陽電池モジュールでは、主枠部材の主外壁の端部における主保持上片、及び、主保持下片を主外壁の端縁から、副枠部材の副保持上片、及び、副保持下片の張出し長さと同じ幅削除して、主外壁の端部の内側に平坦な主外壁端部内側面を形成するのみで、該主外壁端部内側面に、副枠部材の端部の端面を当接させることにより、主枠部材と副枠部材とを結合させることができる。即ち、主枠部材の主外壁の端部を切削して主外壁端部内側面を形成するのみで、主枠部材と副枠部材とを結合させることができる。
【００３４】
尚、この場合、上記の第１の太陽電池モジュールと同様、一般的には、主底部片と副底部片のいずれか張出し位置高さの低い方が、太陽電池モジュールの固定に用いられるのが好ましい。従って、副枠部材の端部を主枠部材の端部に当接させて主枠部材と副枠部材とを結合させることにより形成される太陽電池モジュールにおいて、太陽電池モジュールを固定するのに用いられる枠部材の底部片が、枠部材の下端から太陽電池パネル側（内側）を向いて張出している枠部材を用いると共に、枠部材の端部の切削を、主枠部材又は副枠部材のいずれか一方のみしか必要としないで、太陽電池モジュールを構成することができる。
【００３５】
上記の第１の太陽電池モジュール、又は、第２の太陽電池モジュールにおいて、主枠部材の主底部片を、主外壁の下端の内側に張出して形成し、該主底部片を用いて太陽電池モジュールの設置における固定を行うと共に、副枠部材の副底部片を、主底部片の上方に位置するように、内側に張出して形成するようにしてもよい。このようにすることにより、主枠部材と副枠部材とを結合させる際に、主枠部材の主底部片と副枠部材の副底部片とが、相互に衝突しないようにすることができる。
【００３６】
又、上記の第１の太陽電池モジュール、又は、第２の太陽電池モジュール、即ち、主枠部材の主底部片を、主外壁の下端の内側に張出して形成し、該主底部片を用いて太陽電池モジュールの設置における固定を行うと共に、副枠部材の副底部片を、主底部片の上方に位置するように、内側に張出して形成した太陽電池モジュールにおいて、次のように構成するようにしてもよい。
【００３７】
即ち、主枠部材の主底部片が主外壁の下端から張出す付根に、補強用の突起を形成すると共に、副枠部材の副底部片を、補強用の突起と衝突しないように、該補強用の突起の上方に位置するようにして、内側に張出して形成するのである。
【００３８】
このようにすることにより、主枠部材の主底部片が主外壁の下端から張出す付根に、補強用の突起が形成されるので、主枠部材の強度を増強することができる。又、副枠部材の副底部片を、該補強用の突起の上方に位置するように、内側に張出して形成するので、副枠部材の副底部片を補強用の突起と衝突しないようにすることができる。
【００３９】
又、上記の第１の太陽電池モジュール、又は、第２の太陽電池モジュール、即ち、主枠部材の主底部片を、主外壁の下端の内側に張出して形成し、該主底部片を用いて太陽電池モジュールの設置における固定を行うと共に、副枠部材の副底部片を、主底部片の上方に位置するように、内側に張出して形成した太陽電池モジュールにおいて、次のように構成するようにしてもよい。
【００４０】
即ち、副枠部材の副底部片を、該副底部片の側端近傍の下面が、主枠部材の主底部片の側端近傍の上面と接面するように形成するのである。このようにすることにより、上記の第１の太陽電池モジュール、又は、第２の太陽電池モジュールの重力の内、副枠部材にかかる重量を、主外壁の下端に形成され、太陽電池モジュールの設置における固定に使用される主底部片に伝達することができ、上記の第１の太陽電池モジュール、又は、第２の太陽電池モジュールの設置を、安定させることができる。
【００４１】
又、上記の各太陽電池モジュールにおいて、主枠部材及び副枠部材の役割を、上述したのと、逆になるように上記の各太陽電池モジュールを構成するようにしてもよい。即ち、副枠部材の副底部片を、上記の第１の太陽電池モジュールでは、副内壁の下端の内側に張出して形成し、上記の第２の太陽電池モジュールでは、副外壁の下端の内側に張出して形成すると共に、該副底部片を用いて太陽電池モジュールの設置における固定を行う。そして、主枠部材の主底部片を、副底部片の上方に位置するように、主外壁の内側に張出して形成するのである。この場合に、主枠部材の主底部片を、該主底部片の側端近傍の下面が、副枠部材の副底部片の側端近傍の上面と接面するように形成してもよい。
【００４２】
上記の仕組、即ち、上記の太陽電池モジュールにおいて、主枠部材の主底部片と副枠部材の副底部片とを、相互に衝突しないように、双方の張出し位置高さが異なるように形成する仕組を、前述した従来例の太陽電池モジュールに取り入れることにより、従来例の太陽電池モジュールを改良することもできる。
【００４３】
この改良された太陽電池モジュールは、上記の太陽電池モジュールと同じく、太陽電池パネルの一辺を保持する主枠部材と、一辺と隣接する隣接辺を保持する副枠部材との組を複数用いて太陽電池パネルを保持している太陽電池モジュールである。
【００４４】
上記の主枠部材は、主外壁、主保持上片、主保持下片、主底辺片、主内壁、及び、主底部片で構成される。この内、主外壁は、太陽電池パネルの一辺に沿って形成されている。主保持上片、及び、主保持下片は、主外壁の上部の内側に、上下に、内側に張出して設けられ、相互間に太陽電池パネルを嵌め込んで保持する機能を備えている。主底辺片は、主外壁の下端の内側に、該主外壁に沿って内側に張出して形成される。主内壁は、主底辺片と主保持下片とを結んで主外壁と平行に形成され形成される。そして、主底部片は、主内壁の下端の内側に、該主内壁に沿って、主保持上片、及び、主保持下片よりも長く内側に張出して形成される。
【００４５】
又、上記の副枠部材は、上記の主枠部材と略同様に構成されており、副外壁、副保持上片、副保持下片、副底辺片、副内壁、及び、副底部片で構成される。この内、副外壁は、太陽電池パネルの隣接辺に沿って形成される。副保持上片、及び、副保持下片は、副外壁の上部の内側に、上下に、内側に張出して設けられ、相互間に太陽電池パネルを嵌め込んで保持する機能を備えている。副底辺片は、副外壁の下端の内側に、該副外壁に沿って内側に張出して形成される。副内壁は、副底辺片と副保持下片とを結んで副外壁と平行に形成される。そして、副底部片は、副内壁の下部内側に、該副内壁に沿って、副保持上片、及び、副保持下片よりも長く内側に張出して形成される。
【００４６】
上記の太陽電池モジュールでは、主枠部材の主底部片を用いて太陽電池モジュールの設置における固定が行われるのが好ましい。又、主枠部材の主外壁の端部における主保持上片、主保持下片、主内壁、主底辺片、及び、主底部片が、主外壁の端縁から、副枠部材の副保持上片、及び、副保持下片の張出し長さと同じ幅削除されて、主外壁の端部の内側に平坦な主外壁端部内側面が形成されると共に、該主外壁端部内側面に、副枠部材の端部の端面が当接して、主枠部材と副枠部材とが結合される。
【００４７】
この際に、副枠部材の副底部片は、主枠部材の主底部片の上方に位置するように、副内壁の内側に張出して形成されると共に、主内壁には、副底部片の張出し位置と同じ高さの位置に、副底部片の張出し長さと同じ長さのスリットが形成され、主枠部材と副枠部材とが結合される際に、該スリットに上記の副底部片が挿入される。
【００４８】
上記の太陽電池モジュールでは、上述したように、副枠部材の副底部片は、主枠部材の主底部片の上方に位置するように、副内壁の内側に張出して形成されると共に、主内壁には、副底部片の張出し位置と同じ高さの位置に、副底部片の張出し長さと同じ長さのスリットが形成され、主枠部材と副枠部材とが結合される際に、このスリットに上記の副底部片が挿入される。このようにすることにより、主枠部材と副枠部材とを結合させる際に、主枠部材の主底部片と副枠部材の副底部片とが、相互に衝突しないようにすることができる。
【００４９】
又、上記の太陽電池モジュールでは、上述したように、主枠部材の主外壁の端部における主保持上片、主保持下片、主内壁、主底辺片、及び、主底部片が、主外壁の端縁から、副枠部材の副保持上片、及び、副保持下片の張出し長さと同じ幅削除されて、主外壁の端部の内側に平坦な主外壁端部内側面が形成されると共に、該主外壁端部内側面に、副枠部材の端部の端面が当接して、主枠部材と副枠部材とが結合される。即ち、主枠部材の主外壁の端部を切削して主外壁端部内側面を形成するのみで、主枠部材と副枠部材とを結合させることができる。
【００５０】
従って、副枠部材の端部を主枠部材の端部に当接させて主枠部材と副枠部材とを結合させることにより形成される太陽電池モジュールにおいて、太陽電池モジュールを固定するのに用いられる枠部材の底部片が、枠部材の下端から内側を向いて張出している枠部材を用いると共に、枠部材の端部の切削を、主枠部材又は副枠部材のいずれか一方のみしか必要としないで構成可能な太陽電池モジュールを構成することができる。
【発明の効果】
【００５１】
本発明の太陽電池モジュールによれば、主枠部材の主底部片と副枠部材の副底部片とは、相互に衝突しないように、双方の張出し位置高さが異なるように形成されている。そのため、主枠部材の主外壁の端部を切削して主外壁端部内側面を形成するのみで、主枠部材と副枠部材とを結合させることができる。
【００５２】
従って、副枠部材の端部を主枠部材の端部に当接させて主枠部材と副枠部材とを結合させることにより形成される太陽電池モジュールにおいて、太陽電池モジュールを固定するのに用いられる枠部材の底部片が、枠部材の下端から内側を向いて張出している枠部材を用いると共に、枠部材の端部の切削が、主枠部材と副枠部材の内、主枠部材のみしか必要としないで構成可能な太陽電池モジュールを構成することができる。
【発明を実施するための最良の形態】
【００５３】
次に、本発明の実施の形態における太陽電池モジュールについて、図面を参照しながら説明する。本実施の形態における説明では、実施の形態１〜実施の形態８の、８種類の実施の形態における太陽電池モジュールについて説明する。
【００５４】
＜実施の形態１＞
図１は、実施の形態１における太陽電池モジュール１ａの構造を示した部分分解斜視図、図２は、その部分平面図、図３は、図２のＡ−Ａ断面図、図４、及び、図５は、この太陽電池モジュール３に使用されている主枠部材１０ａ、及び、副枠部材２０ａの端部の形状を示した図面であり、それぞれ、（ａ）は、部分平面図、（ｂ）は、正面図、そして、（ｃ）は、部分側面図である。尚、図２、及び、図３では、太陽電池パネル９は省略されている。
【００５５】
この実施の形態１における太陽電池モジュール１ａは、次のような構造をしている。即ち、図１〜図５において、太陽電池パネル９は、矩形状であり、この太陽電池パネル９の一辺を保持する主枠部材１０ａと、この一辺と隣接する隣接辺を保持する副枠部材２０ａとの組を２組用いて、太陽電池パネル９を保持している。
【００５６】
上記の主枠部材１０ａは、主外壁１１、主保持上片１２、主保持下片１３、及び、主底部片１６で構成されている。この内、主外壁１１は、水平状態の太陽電池パネル９の一辺に沿って垂直に形成されている。主保持上片１２、及び、主保持下片１３は、主外壁１１の上部の内側に、上下に、共に略同じ長さで水平に張出して設けられ、相互間に太陽電池パネル９を嵌め込んで保持する。そして、主底部片１６は、主外壁１１の下端の内側に、該主外壁１１に沿って水平に、主保持上片１２、及び、主保持下片１３よりも長く張出して形成される。
【００５７】
又、上記の副枠部材２０ａは、副外壁２１、副保持上片２２、副保持下片２３、副底辺片２４、副内壁２５、及び、副底部片２６で構成される。この内、副外壁２１は、太陽電池パネル９の上記の一辺に隣接する隣接辺に沿って垂直に形成される。副保持上片２２、及び、副保持下片２３は、副外壁２１の上部の内側に、上下に、共に略同じ長さで水平に張出して設けられ、相互間に太陽電池パネル９を嵌め込んで保持する。副底辺片２４は、副外壁２１の下端の内側に、該副外壁２１に沿って水平に張出して形成される。副内壁２５は、副底辺片２４と副保持下片２３とを結んで副外壁２１と平行に形成される。そして、副底部片２６は、副内壁２５の下部の内側に、該副内壁２５に沿って水平に、副保持上片２２、及び、副保持下片２３よりも長く張出して形成される。
【００５８】
即ち、実施の形態１における太陽電池モジュール１ａでは、主枠部材１０ａの主底部片１６が、主外壁１１の下端の内側に張出して形成され、該主底部片１６を用いて太陽電池モジュール１ａの設置における固定が行われる。又、副枠部材２０ａの副底部片２６は、主枠部材１０ａの主底部片１６の上方に位置するように、副枠部材２０ａの副内壁２５の内側に張出して形成される。
【００５９】
又、上記の太陽電池モジュール１ａでは、主枠部材１０ａの主外壁１１の端部における主保持上片１２、主保持下片１３、及び、主底部片１６が、主外壁１１の端縁から、副枠部材２０ａの副保持上片２２、副保持下片２３、及び、副底辺片２４の張出し長さと同じ幅だけ削除されて、主外壁の端部の内側に平坦な主外壁端部内側面１７が形成されると共に、該主外壁端部内側面１７に、副枠部材２０ａの端部の端面が当接して、主枠部材１０ａと副枠部材２０ａとが、ビス穴１９とビス受け２８を用いてビスにより結合される。
【００６０】
この際に、副枠部材２０ａの副底部片２６は、上述したように、主枠部材１０ａの主底部片１６の上方に位置するように、副枠部材２０ａの副内壁２５の内側に張出して形成されるので、主枠部材１０ａの主底部片１６と副枠部材２０ａの副底部片２６とは、相互に衝突しないように結合することができる。
【００６１】
上記の太陽電池モジュール１ａでは、上述したように、主枠部材１０ａの主底部片１６と副枠部材２０ａの副底部片２６とは、相互に衝突しないように、双方の張出し位置高さが異なるようにして、即ち、副枠部材２０ａの副底部片２６が、主枠部材１０ａの主底部片１６の上に位置するようにして形成される。
【００６２】
そのため、上記の太陽電池モジュール１ａでは、主枠部材１０ａの主外壁１１の端部における主保持上片１２、主保持下片１３、及び、主底部片１６を主外壁１２の端縁から、副枠部材２０ａの副保持上片２２、副保持下片２３、及び、副底辺片２４の張出し長さと同じ幅だけ削除して、主外壁１１の端部の内側に平坦な主外壁端部内側面１７を形成するのみで、該主外壁端部内側面１７に、副枠部材２０ａの端部の端面を当接させることにより、主枠部材１０ａと副枠部材２０ａとを結合させることができる。即ち、主枠部材１０ａの主外壁１１の端部を切削して主外壁端部内側面１７を形成するのみで、主枠部材１０ａと副枠部材２０ａとを結合させることができる。
【００６３】
又、上記の太陽電池モジュール１ａでは、主枠部材１０ａの主底部片１６が、太陽電池モジュール１ａの固定に用いられる。従って、副枠部材２０ａの端部を主枠部材１０ａの端部に当接させて主枠部材１０ａと副枠部材２０ａとを結合させることにより形成される太陽電池モジュール１ａにおいて、この太陽電池モジュール１ａを固定するのに用いられる枠部材の底部片が、枠部材の下端から太陽電池パネル９側（内側）を向いて張出している枠部材（主枠部材１０ａの主底部片１６）を用いると共に、枠部材の端部の切削を、主枠部材１０ａ又は副枠部材２０ａの一方である主枠部材１０ａのみしか必要としないで、太陽電池モジュール１ａを構成することができる。
【００６４】
＜実施の形態２＞
図６は、実施の形態２における太陽電池モジュール１ｂの構造を示した部分分解斜視図、図７は、その部分平面図、図８は、図２のＢ−Ｂ断面図、図９、及び、図１０は、この太陽電池モジュール３に使用されている主枠部材１０ｂ、及び、副枠部材２０ｂの端部の形状を示した図面であり、それぞれ、（ａ）は、部分平面図、（ｂ）は、正面図、そして、（ｃ）は、部分側面図である。尚、図７、及び、図８では、太陽電池パネル９は省略されている。
【００６５】
実施の形態２における太陽電池モジュール１ｂは、実施の形態１における太陽電池モジュール１ａとほとんど同じであり、実施の形態１における太陽電池モジュール１ａから次の点が変更されている。
【００６６】
即ち、図６〜図１０において、主枠部材１０ｂの主底部片１６が主外壁１１の下端から張出す付根に、補強用の突起である補強塊１８が形成されると共に、副枠部材２０ｂの副底部片２６が、この補強用の補強塊１８と衝突しないように、該補強塊１８の上方に位置するようにして、副枠部材２０ｂの副内壁２５の内側に張出して形成されたものである。
【００６７】
従って、実施の形態１における太陽電池モジュール１ａが備える効果のほか、主枠部材１０ｂの主底部片１６が主外壁１１の下端から張出す付根に、補強用の補強塊１８が形成されるので、主枠部材１０ｂの強度を増強することができる。又、副枠部材２０ｂの副底部片２６が、該補強用の補強塊１８の上方に位置するように、副内壁の内側に張出して形成されるので、副枠部材の副底部片を補強用の突起と衝突しないようにすることができる。
【００６８】
＜実施の形態３＞
図１１は、実施の形態２における太陽電池モジュール１ｃの構造を示した部分分解斜視図、図１２は、その部分平面図、図１３は、図１２のＣ−Ｃ断面図、図１４、及び、図１５は、この太陽電池モジュール１ｃに使用されている主枠部材１０ｃ、及び、副枠部材２０ｃの端部の形状を示した図面であり、それぞれ、（ａ）は、部分平面図、（ｂ）は、正面図、そして、（ｃ）は、部分側面図である。尚、図１２、及び、図１３では、太陽電池パネル９は省略されている。
【００６９】
実施の形態３における太陽電池モジュール１ｃは、実施の形態１における太陽電池モジュール１ａとほとんど同じである。即ち、図１１〜図１５において、主枠部材１０ｃの主底部片１６が、主外壁１１の下端の内側に張出して形成され、該主底部片１６を用いて太陽電池モジュール１ｃの設置における固定が行われる。そして、副枠部材２０ｃの副底部片２６が、主枠部材１０ｃの主底部片１６の上方に位置するように、副枠部材２０ｃの副内壁２５の内側に張出して形成される点は、実施の形態１における太陽電池モジュール１ａと同様である。
【００７０】
この実施の形態３における太陽電池モジュール１ｃでは、さらに、実施の形態１における太陽電池モジュール１ａから次の点が変更されている。即ち、副枠部材２０ｃの副底部片２６が、該副底部片２６の側端近傍の下面が、主枠部材１０ｃの主底部片１６の側端近傍の上面と接面するように形成される。
【００７１】
従って、実施の形態１における太陽電池モジュール１ａが備える効果のほか、上記の太陽電池モジュール１ｃの重力の内、副枠部材２０ｃにかかる重量を、主枠部材１０ｃの主外壁１１の下端に形成され、太陽電池モジュール１ｃの設置における固定に使用される主枠部材１０ｃの主底部片１６に伝達することができ、上記の太陽電池モジュール１ｃの設置を、安定させることができる。
【００７２】
＜実施の形態４＞
図１６は、実施の形態４における太陽電池モジュール１ｄの構造を示した部分分解斜視図、図１７は、その部分平面図、図１８は、図１７のＤ−Ｄ断面図、図１９、及び、図２０は、この太陽電池モジュール１ｄに使用されている主枠部材１０ｄ、及び、副枠部材２０ｄの端部の形状を示した図面であり、それぞれ、（ａ）は、部分平面図、（ｂ）は、正面図、そして、（ｃ）は、部分側面図である。尚、図１７、及び、図１８では、太陽電池パネル９は省略されている。
【００７３】
実施の形態４における太陽電池モジュール１ｄは、実施の形態１における太陽電池モジュール１ａとほとんど同じであり、実施の形態１における太陽電池モジュール１ａから次の点が変更されている。
【００７４】
即ち、図１６〜図２０において、主枠部材１０ｄ及び副枠部材２０ｄの役割を、実施の形態１における太陽電池モジュール１ａの主枠部材１０ａ及び副枠部材２０ａの役割と、逆になるようにして、実施の形態４における太陽電池モジュール１ｄを構成したものである。
【００７５】
即ち、副枠部材２０ｄの副底部片２６は、副枠部材２０ｄの副内壁２５の下端の内側に張出して形成され、該副底部片２６を用いて太陽電池モジュール１ｄの設置における固定が行われる。そして、主枠部材１０ｄの主底部片１６は、副枠部材２０ｄの副底部片２６の上方に位置するように、主枠部材１０ｄの主外壁１１の内側に張出して形成される。
【００７６】
従って、実施の形態４における太陽電池モジュール１ｄの作用・効果は、実施の形態１における太陽電池モジュール１ａの作用・効果と同じである。
【００７７】
＜実施の形態５＞
図２１は、実施の形態５における太陽電池モジュール１ｅの構造を示した部分分解斜視図、図２２は、その部分平面図、図２３は、図２２のＥ−Ｅ断面図、図２４、及び、図２５は、この太陽電池モジュール１ｅに使用されている主枠部材１０ｅ、及び、副枠部材２０ｅの端部の形状を示した図面であり、それぞれ、（ａ）は、部分平面図、（ｂ）は、正面図、そして、（ｃ）は、部分側面図である。尚、図２２、及び、図２３では、太陽電池パネル９は省略されている。
【００７８】
実施の形態５における太陽電池モジュール１ｅは、実施の形態４における太陽電池モジュール１ｄとほとんど同じである。即ち、図２１〜図２５において、副枠部材２０ｅの副底部片２６は、副枠部材２０ｅの副内壁２５の下端の内側に張出して形成され、該副底部片２６を用いて太陽電池モジュール１ｅの設置における固定が行われる。そして、主枠部材１０ｅの主底部片１６が、副枠部材２０ｅの副底部片２６の上方に位置するように、主枠部材１０ｅの主外壁１１の内側に張出して形成される点は、実施の形態４における太陽電池モジュール１ｄと同様である。
【００７９】
この実施の形態５における太陽電池モジュール１ｅでは、さらに、実施の形態４における太陽電池モジュール１ｄから次の点が変更されている。即ち、副枠部材２０ｅの副底部片２６が、該副底部片２６の側端近傍の下面が、主枠部材１０ｅの主底部片１６の側端近傍の上面と接面するように形成される。
【００８０】
従って、実施の形態４における太陽電池モジュール１ｄが備える効果のほか、上記の太陽電池モジュール１ｅの重力の内、副枠部材２０ｅにかかる重量を、主枠部材１０ｅの主外壁１１の下端に形成され、太陽電池モジュール１ｅの設置における固定に使用される主枠部材１０ｅの主底部片１６に伝達することができ、上記の太陽電池モジュール１ｅの設置を、安定させることができる。
【００８１】
＜実施の形態６＞
図３６は、実施の形態６における太陽電池モジュール４ａの構造を示した部分分解斜視図、図３７は、その部分平面図、図３８は、図３７のＨ−Ｈ断面図、図３９、及び、図４０は、この太陽電池モジュール４ａに使用されている主枠部材１０ａ、及び、副枠部材７０ａの端部の形状を示した図面であり、それぞれ、（ａ）は、部分平面図、（ｂ）は、正面図、そして、（ｃ）は、部分側面図である。尚、図３７、及び、図３８では、太陽電池パネル９は省略されている。
【００８２】
この実施の形態６における太陽電池モジュール４ａは、次のような構造をしている。即ち、図３６〜図４０において、太陽電池パネル９は、矩形状であり、この太陽電池パネル９の一辺を保持する主枠部材１０ａと、この一辺と隣接する隣接辺を保持する副枠部材７０ａとの組を２組用いて、太陽電池パネル９を保持している。
【００８３】
上記の主枠部材１０ａは、実施の形態１における太陽電池モジュール１ａと同様、主外壁１１、主保持上片１２、主保持下片１３、及び、主底部片１６で構成されている。この内、主外壁１１は、太陽電池パネル９の一辺に沿って形成されている。主保持上片１２、及び、主保持下片１３は、主外壁１１の上部の内側に、上下に、共に略同じ長さで水平に張出して設けられ、相互間に太陽電池パネル９を嵌め込んで保持する。そして、主底部片１６は、主外壁１１の下端の内側に、該主外壁１１に沿って水平に、主保持上片１２、及び、主保持下片１３よりも長く張出して形成される。
【００８４】
又、上記の副枠部材７０ａは、実施の形態１における太陽電池モジュール１ａと異なり、副外壁２１、副保持上片２２、副保持下片２３、及び、副底部片２６で構成される。この内、副外壁２１は、太陽電池パネル９の上記の一辺に隣接する隣接辺に沿って垂直に形成される。副保持上片２２、及び、副保持下片２３は、副外壁２１の上部の内側に、上下に、共に略同じ長さで水平に張出して設けられ、相互間に太陽電池パネル９を嵌め込んで保持する。そして、副底部片２６は、副外壁２１の下部の内側に、該副外壁２１に沿って水平に、副保持上片２２、及び、副保持下片２３よりも長く張出して形成される。
【００８５】
即ち、実施の形態６における太陽電池モジュール４ａでは、主枠部材１０ａの主底部片１６が、主外壁１１の下端の内側に張出して形成され、該主底部片１６を用いて太陽電池モジュール４ａの設置における固定が行われる。又、副枠部材７０ａの副底部片２６は、主枠部材１０ａの主底部片１６の上方に位置するように、副枠部材７０ａの副外壁２１の内側に張出して形成される。
【００８６】
又、上記の太陽電池モジュール４ａでは、主枠部材１０ａの主外壁１１の端部における主保持上片１２、主保持下片１３、及び、主底部片１６が、主外壁１１の端縁から、副枠部材７０ａの副保持上片２２、及び、副保持下片２３の張出し長さと同じ幅だけ削除されて、主外壁１１の端部の内側に平坦な主外壁端部内側面１７が形成されると共に、該主外壁端部内側面１７に、副枠部材７０ａの端部の端面が当接して、主枠部材１０ａと副枠部材７０ａとが、ビス穴１９とビス受け２８を用いてビスにより結合される。
【００８７】
この際に、副枠部材７０ａの副底部片２６は、上述したように、主枠部材１０ａの主底部片１６の上方に位置するように、副枠部材７０ａの副外壁２１の内側に張出して形成されるので、主枠部材１０ａの主底部片１６と副枠部材７０ａの副底部片２６とは、相互に衝突しないように結合することができる。
【００８８】
上記の太陽電池モジュール４ａでは、上述したように、主枠部材１０ａの主底部片１６と副枠部材７０ａの副底部片２６とは、相互に衝突しないように、双方の張出し位置高さが異なるようにして、即ち、副枠部材７０ａの副底部片２６が、主枠部材１０ａの主底部片１６の上に位置するようにして形成される。
【００８９】
そのため、上記の太陽電池モジュール４ａでは、主枠部材１０ａの主外壁１１の端部における主保持上片１２、主保持下片１３、及び、主底部片１６を主外壁１２の端縁から、副枠部材７０ａの副保持上片２２、及び、副保持下片２３の張出し長さと同じ幅削除して、主外壁１１の端部の内側に平坦な主外壁端部内側面１７を形成するのみで、該主外壁端部内側面１７に、副枠部材７０ａの端部の端面を当接させることにより、主枠部材１０ａと副枠部材７０ａとを結合させることができる。即ち、主枠部材１０ａの主外壁１１の端部を切削して主外壁端部内側面１７を形成するのみで、主枠部材１０ａと副枠部材７０ａとを結合させることができる。
【００９０】
又、上記の太陽電池モジュール４ａでは、主枠部材１０ａの主底部片１６が、太陽電池モジュール４ａの固定に用いられる。従って、副枠部材７０ａの端部を主枠部材１０ａの端部に当接させて主枠部材１０ａと副枠部材７０ａとを結合させることにより形成される太陽電池モジュール４ａにおいて、この太陽電池モジュール４ａを固定するのに用いられる枠部材の底部片が、枠部材の下端から太陽電池パネル９側（内側）を向いて張出している枠部材（主枠部材１０ａの主底部片１６）を用いると共に、枠部材の端部の切削を、主枠部材１０ａ又は副枠部材７０ａの一方である主枠部材１０ａのみしか必要としないで、太陽電池モジュール４ａを構成することができる。
【００９１】
上述した実施の形態２〜実施の形態５における太陽電池モジュール１ｂ〜太陽電池モジュール１ｅは、実施の形態１における太陽電池モジュール１ａの変形例ということができる。即ち、上述した実施の形態２〜実施の形態５における太陽電池モジュール１ｂ〜太陽電池モジュール１ｅは、実施の形態１における太陽電池モジュール１ａの主枠部材１０ａの形状を、それぞれ、主枠部材１０ｂ〜主枠部材１０ｅの形状に変化させると共に、副枠部材２０ａの形状を、それぞれ、副枠部材２０ｂ〜副枠部材２０ｅの形状に変化させることにより、構成されるものである。
【００９２】
そこで、上述した実施の形態６における太陽電池モジュール４ａにおいても、実施の形態２〜実施の形態５における太陽電池モジュール１ｂ〜太陽電池モジュール１ｅの対処と同様の対処を、主枠部材１０ａと副枠部材７０ａに行うことによって、実施の形態２〜実施の形態５における太陽電池モジュール１ｂ〜太陽電池モジュール１ｅが備える特徴と同様の特徴を備えた太陽電池モジュールを、実施の形態６における太陽電池モジュール４ａの変形例として、構成することができる。
【００９３】
＜実施の形態７＞
図４１は、実施の形態７における太陽電池モジュール５ａの構造を示した部分分解斜視図、図４２は、その部分平面図、図４３は、図４２のＪ−Ｊ断面図、図４４、及び、図４５は、この太陽電池モジュール５ａに使用されている主枠部材８０ａ、及び、副枠部材９０ａの端部の形状を示した図面であり、それぞれ、（ａ）は、部分平面図、（ｂ）は、正面図、そして、（ｃ）は、部分側面図である。尚、図４４、及び、図４５では、太陽電池パネル９は省略されている。
【００９４】
この実施の形態７における太陽電池モジュール５ａは、基本的な構造は、実施の形態６における太陽電池モジュール４ａと同じである。実施の形態７における太陽電池モジュール５ａが実施の形態６における太陽電池モジュール４ａと異なるのは、主枠部材１０ａに代えて、主枠部材８０ａを用いると共に、副枠部材７０ａに代えて、副枠部材９０ａを用いた点である。
【００９５】
主枠部材８０ａは、実施の形態６における太陽電池モジュール４ａの主枠部材１０ａと同様、主外壁１１、主保持上片１２、主保持下片１３、及び、主底部片１６で構成されている。この内、主外壁１１は、太陽電池パネル９の一辺に沿って垂直に形成されている。主保持上片１２、及び、主保持下片１３は、主外壁１１の上部の内側に、上下に、共に略同じ長さで水平に張出して設けられ、相互間に太陽電池パネル９を嵌め込んで保持する。
【００９６】
主枠部材８０ａには、この主枠部材８０ａと副枠部材９０ａとを結合するのに用いられるビス穴１９が設けられているが、このビス穴１９が設けられている付近の主枠部材８０ａの部分であるビス穴配設壁８１は、主枠部材８０ａの他の部分よりも、ビス穴１９に嵌め込まれるナベビスのビス頭の厚さに相当する分、内側に凹んでいる。そのため、主枠部材８０ａと副枠部材９０ａとを結合する際に、この結合に用いられるビスの頭が、主枠部材８０ａの上記の他の部分の外表面の位置よりも外側に飛び出さないようにすることができる。
【００９７】
又、主枠部材８０ａは、主枠部材８０ａの主外壁１１の頂部が、丸みを帯びて形成されていると共に、主保持上片１２の内側先端が、内側に斜めに傾斜して形成されている。このため、太陽電池モジュール５ａが、降雨時に、雨に濡れても、この太陽電池モジュール５ａにおける水はけをよくすることができる。
【００９８】
又、副枠部材９０ａは、実施の形態６における太陽電池モジュール４ａと同様、副外壁２１、副保持上片２２、副保持下片２３、及び、副底部片２６で構成される。この内、副外壁２１は、太陽電池パネル９の上記の一辺に隣接する隣接辺に沿って垂直に形成される。副保持上片２２、及び、副保持下片２３は、副外壁２１の上部の内側に、上下に、共に略同じ長さで水平に張出して設けられ、相互間に太陽電池パネル９を嵌め込んで保持する。そして、副底部片２６は、副外壁２１の下部の内側に、該副外壁２１に沿って水平に、副保持上片２２、及び、副保持下片２３よりも長く張出して形成される。
【００９９】
即ち、実施の形態７における太陽電池モジュール５ａでは、主枠部材８０ａの主底部片１６が、主外壁１１の下端の内側に張出して形成され、該主底部片１６を用いて太陽電池モジュール５ａの設置における固定が行われる。又、副枠部材９０ａの副底部片２６は、主枠部材８０ａの主底部片１６の上方に位置するように、副枠部材９０ａの副外壁２１の内側に張出して形成される。
【０１００】
又、上記の太陽電池モジュール５ａでは、主枠部材８０ａの主外壁１１の端部における主保持上片１２、主保持下片１３、及び、主底部片１６が、主外壁１１の端縁から、副枠部材９０ａの副保持上片２２、及び、副保持下片２３の張出し長さと同じ幅だけ削除されて、主外壁１１の端部の内側に平坦な主外壁端部内側面１７が形成されると共に、該主外壁端部内側面１７に、副枠部材９０ａの端部の端面が当接して、主枠部材８０ａと副枠部材９０ａとが、ビス穴１９とビス受け２８を用いてビスにより結合される。
【０１０１】
この際に、副枠部材９０ａの副底部片２６は、上述したように、主枠部材８０ａの主底部片１６の上方に位置するように、副枠部材９０ａの副外壁２１の内側に張出して形成されるので、主枠部材８０ａの主底部片１６と副枠部材９０ａの副底部片２６とは、相互に衝突しないように結合することができる。
【０１０２】
又、副枠部材９０ａの副外壁２１の副保持下片２３より下方は、上方部分よりも内側に凹んでいると共に、副外壁２１の下端は、外側に屈曲して、副底辺外片９１が形成されている。この副底辺外片９１の外側方向への屈曲長さは、副底辺外片９１の外側先端が、副枠部材９０ａの副外壁２１の副保持下片２３より上方部分の表面の位置と同レベルとなるように副枠部材９０ａの副外壁２１が形成されている。
【０１０３】
そこで、実施の形態７における太陽電池モジュール５ａを複数設置する場合等に、隣接する太陽電池モジュール５ａと、副枠部材９０ａの副外壁２１の副底辺外片９１の外側先端同士が隣接するようにして、太陽電池モジュール５ａを設置することができる。従って、実施の形態７における太陽電池モジュール５ａの設置を安定して行うことができる。
【０１０４】
又、太陽電池モジュール５ａの設置の際に、主枠部材８０ａの主底部片１６の底面と副枠部材９０ａの副底辺外片９１の底面とが同一面上に配設できるので、主枠部材８０ａにかかる荷重も、副枠部材９０ａにかかる荷重も、共に、太陽電池モジュール５ａを設置する架台等で支えることができる。従って、太陽電池モジュール５ａの設置を安定して行うことができる。
【０１０５】
上記の太陽電池モジュール５ａでは、実施の形態６における太陽電池モジュール４ａと同様、主枠部材８０ａの主底部片１６と副枠部材９０ａの副底部片２６とは、相互に衝突しないように、双方の張出し位置高さが異なるようにして、即ち、副枠部材９０ａの副底部片２６が、主枠部材８０ａの主底部片１６の上に位置するようにして形成される。
【０１０６】
そのため、上記の太陽電池モジュール５ａでは、主枠部材８０ａの主外壁１１の端部における主保持上片１２、主保持下片１３、及び、主底部片１６を主外壁１２の端縁から、副枠部材９０ａの副保持上片２２、及び、副保持下片２３の張出し長さと同じ幅削除して、主外壁１１の端部の内側に平坦な主外壁端部内側面１７を形成するのみで、該主外壁端部内側面１７に、副枠部材９０ａの端部の端面を当接させることにより、主枠部材８０ａと副枠部材９０ａとを結合させることができる。即ち、主枠部材８０ａの主外壁１１の端部を切削して主外壁端部内側面１７を形成するのみで、主枠部材８０ａと副枠部材９０ａとを結合させることができる。
【０１０７】
又、上記の太陽電池モジュール５ａでは、主枠部材８０ａの主底部片１６が、太陽電池モジュール５ａの固定に用いられる。従って、副枠部材９０ａの端部を主枠部材８０ａの端部に当接させて主枠部材８０ａと副枠部材９０ａとを結合させることにより形成される太陽電池モジュール５ａにおいて、この太陽電池モジュール５ａを固定するのに用いられる枠部材の底部片が、枠部材の下端から太陽電池パネル９側（内側）を向いて張出している枠部材（主枠部材８０ａの主底部片１６）を用いると共に、枠部材の端部の切削を、主枠部材８０ａ又は副枠部材９０ａの一方である主枠部材８０ａのみしか必要としないで、太陽電池モジュール５ａを構成することができる。
【０１０８】
又、実施の形態６で説明したように、上述した実施の形態２〜実施の形態５における太陽電池モジュール１ｂ〜太陽電池モジュール１ｅは、実施の形態１における太陽電池モジュール１ａの変形例ということができる。即ち、上述した実施の形態２〜実施の形態５における太陽電池モジュール１ｂ〜太陽電池モジュール１ｅは、実施の形態１における太陽電池モジュール１ａの主枠部材１０ａの形状を、それぞれ、主枠部材１０ｂ〜主枠部材１０ｅの形状に変化させると共に、副枠部材２０ａの形状を、それぞれ、副枠部材２０ｂ〜副枠部材２０ｅの形状に変化させることにより、構成されるものである。
【０１０９】
そこで、上述した実施の形態７における太陽電池モジュール５ａにおいても、実施の形態２〜実施の形態５における太陽電池モジュール１ｂ〜太陽電池モジュール１ｅの対処と同様の対処を、主枠部材８０ａと副枠部材９０ａに行うことによって、実施の形態２〜実施の形態５における太陽電池モジュール１ｂ〜太陽電池モジュール１ｅが備える特徴と同様の特徴を備えた太陽電池モジュールを、実施の形態７における太陽電池モジュール５ａの変形例として、構成することができる。
【０１１０】
＜実施の形態８＞
図２６は、実施の形態８における太陽電池モジュール２の構造を示した部分分解斜視図、図２７は、その部分平面図、図２８は、図２７のＦ−Ｆ断面図、図２９、及び、図３０は、この太陽電池モジュール２に使用されている主枠部材３０、及び、副枠部材４０の端部の形状を示した図面であり、それぞれ、（ａ）は、部分平面図、（ｂ）は、正面図、そして、（ｃ）は、部分側面図である。尚、図２７、及び、図２８では、太陽電池パネル９は省略されている。
【０１１１】
この実施の形態８における太陽電池モジュール２は、上述した実施の形態１における太陽電池モジュール１ａにおける仕組、即ち、上述した実施の形態１における太陽電池モジュール１ａにおいて、主枠部材１０ａの主底部片１６と副枠部材２０ａの副底部片２６とを、相互に衝突しないように、双方の張出し位置高さが異なるように形成する仕組を、前述した従来例の太陽電池モジュール３に取り入れることにより、従来例の太陽電池モジュール３を改良したものである。
【０１１２】
この改良された太陽電池モジュールが、この実施の形態８における太陽電池モジュール２である。この実施の形態８における太陽電池モジュール２は、図２６〜図３０において、太陽電池パネル９の一辺を保持する主枠部材３０と、この一辺と隣接する隣接辺を保持する副枠部材４０との組を２組用いて、太陽電池パネル９を保持している。
【０１１３】
上記の主枠部材３０は、主外壁３１、主保持上片３２、主保持下片３３、主底辺片３４、主内壁３５、及び、主底部片３６で構成される。この内、主外壁３１は、太陽電池パネル９の一辺に沿って垂直に形成される。主保持上片３２、及び、主保持下片３３は、主外壁３１の上部の内側に、上下に、共に略同じ長さで水平に張出して設けられ、相互間に太陽電池パネル９を嵌め込んで保持する。主底辺片３４は、主外壁３１の下端の内側に、該主外壁３１に沿って水平に張出して形成される。主内壁３５は、主底辺片３４の先端と主保持下片３３の先端とを結んで主外壁３１と平行に形成され形成される。そして、主底部片３６は、主内壁３１の下端の内側に、該主内壁３１に沿って水平に、主保持上片３２、及び、主保持下片３３よりも長く張出して形成される。
【０１１４】
又、上記の副枠部材４０は、上記の主枠部材３０と略同様に構成されており、副外壁４１、副保持上片４２、副保持下片４３、副底辺片４４、副内壁４５、及び、副底部片４６で構成されている。この内、副外壁４１は、太陽電池パネル９の隣接辺に沿って垂直に形成される。副保持上片４２、及び、副保持下片４３は、副外壁４１の上部の内側に、上下に、共に略同じ長さで水平に張出して設けられ、相互間に太陽電池パネル９を嵌め込んで保持する。副底辺片４４は、副外壁４１の下端の内側に、該副外壁４１に沿って水平に張出して形成される。副内壁４５は、副底辺片４４の先端と副保持下片４３の先端とを結んで副外壁４１と平行に形成される。そして、副底部片４６は、副内壁４５の下部内側に、該副内壁４５に沿って水平に、副保持上片４２、及び、副保持下片４３よりも長く張出して形成される。
【０１１５】
上記の太陽電池モジュール２では、主枠部材３０の主底部片３６を用いて太陽電池モジュール２の設置における固定が行われる。又、主枠部材３０の主外壁３１の端部における主保持上片３２、主保持下片３３、主内壁３５、主底辺片３４、及び、主底部片３６が、主外壁３１の端縁から、副枠部材４０の副保持上片４２、副保持下片４３、及び、副底辺片４４の張出し長さと同じ幅だけ削除されて、主枠部材３０の主外壁３１の端部の内側に平坦な主外壁端部内側面３７が形成されると共に、該主外壁端部内側面３７に、副枠部材４０の端部の端面が当接して、主枠部材３０と副枠部材４０とが、ビス穴３９とビス受け４８を用いてビスにより結合される。
【０１１６】
この際に、副枠部材４０の副底部片４６は、主枠部材３０の主底部片３６の上方に位置するように、副枠部材４０の副内壁４５の内側に張出して形成されると共に、主枠部材３０の主内壁３１には、副枠部材４０の副底部片４６の張出し位置と同じ高さの位置に、この副底部片４６の張出し長さと同じ長さのスリット３８が水平に形成され、主枠部材３０と副枠部材４０とが結合される際に、該スリット３８に上記の副枠部材４０の副底部片４６が挿入される。
【０１１７】
上記の太陽電池モジュール２では、上述したように、副枠部材４０の副底部片４６は、主枠部材３０の主底部片３６の上方に位置するように、副枠部材４０の副内壁４５の内側に張出して形成される。又、主枠部材３０の主内壁３１には、副枠部材４０の副底部片４６の張出し位置と同じ高さの位置に、この副底部片４６の張出し長さと同じ長さのスリット３８が水平に形成され、主枠部材３０と副枠部材４０とが結合される際に、このスリット３８に上記の副枠部材４０の副底部片４６が挿入される。従って、主枠部材３０と副枠部材４０とを結合させる際に、主枠部材３０の主底部片３６と副枠部材４０の副底部片４６とが、相互に衝突しないようにすることができる。
【０１１８】
又、上記の太陽電池モジュール２では、上述したように、主枠部材３０の主外壁３１の端部における主保持上片３２、主保持下片３３、主内壁３５、主底辺片３４、及び、主底部片３６が、主枠部材３０の主外壁３１の端縁から、副枠部材４０の副保持上片４２、副保持下片４３、及び、副底辺片４４の張出し長さと同じ幅だけ削除されて、主枠部材３０の主外壁３１の端部の内側に、平坦な主外壁端部内側面３７が形成される。そして、該主外壁端部内側面３７に、副枠部材４０の端部の端面が当接して、主枠部材３０と副枠部材４０とが結合される。即ち、主枠部材３０の主外壁３１の端部を切削して主外壁端部内側面３７を形成するのみで、主枠部材３０と副枠部材４０とを結合させることができる。
【０１１９】
従って、副枠部材４０の端部を主枠部材３０の端部に当接させて主枠部材３０と副枠部材４０とを結合させることにより形成される太陽電池モジュール２において、太陽電池モジュール２を固定するのに用いられる枠部材の底部片が、枠部材の下端から内側を向いて張出している枠部材（主枠部材３０の主底部片３６）を用いると共に、枠部材の端部の切削を、主枠部材３０又は副枠部材４０のいずれか一方である主枠部材３０のみしか必要としないで構成可能な太陽電池モジュール２を構成することができる。
【０１２０】
尚、上記の各実施の形態では、太陽電池パネル９は、水平状態であることを前提として説明しているが、太陽電池パネル９は水平状態以外に、垂直状態や、傾斜している状態等もあり得る。
【０１２１】
又、上記の各実施の形態では、主枠部材の主保持上片１２、及び、主保持下片１３と、副枠部材の副保持上片２２、及び、副保持下片２３は、共に略同じ長さで水平に張出して設けられているが、主保持上片１２の長さと、主保持下片１３の長さ、或いは、副保持上片２２の長さと、副保持下片２３の長さは、異なる場合もあり得る。
【０１２２】
又、上記の各実施の形態では、主枠部材の主外壁１１の端部における主保持上片１２、主保持下片１３、及び、主底部片１６が、主外壁１１の端縁から、副枠部材の副保持上片２２、副保持下片２３等の張出し長さと同じ幅だけ削除されて、主枠部材の主外壁１１の端部の内側に平坦な主外壁端部内側面１７が形成される。しかし、主底部片１６については、上記の場合のほか、主枠部材と結合される副枠部材の形状によっては、この副枠部材と干渉しない程度に、主外壁１１の端縁から、副枠部材の副保持上片２２、副保持下片２３等の張出し長さよりかなり少ない幅の削除で十分な場合も有りうる。
【図面の簡単な説明】
【０１２３】
【図１】実施の形態１における太陽電池モジュールの部分分解斜視図である。
【図２】実施の形態１における太陽電池モジュールの部分平面図である。
【図３】図２のＡ−Ａ断面図である。
【図４】実施の形態１における太陽電池モジュールに使用される主枠部材の端部の、（ａ）は部分平面図、（ｂ）は正面図、そして（ｃ）は、部分側面図である。
【図５】実施の形態１における太陽電池モジュールに使用される副枠部材の端部の、（ａ）は部分平面図、（ｂ）は正面図、そして（ｃ）は、部分側面図である。
【図６】実施の形態２における太陽電池モジュールの部分分解斜視図である。
【図７】実施の形態２における太陽電池モジュールの部分平面図である。
【図８】図７のＢ−Ｂ断面図である。
【図９】実施の形態２における太陽電池モジュールに使用される主枠部材の端部の、（ａ）は部分平面図、（ｂ）は正面図、そして（ｃ）は、部分側面図である。
【図１０】実施の形態２における太陽電池モジュールに使用される副枠部材の端部の、（ａ）は部分平面図、（ｂ）は正面図、そして（ｃ）は、部分側面図である。
【図１１】実施の形態３における太陽電池モジュールの部分分解斜視図である。
【図１２】実施の形態３における太陽電池モジュールの部分平面図である。
【図１３】図１２のＣ−Ｃ断面図である。
【図１４】実施の形態３における太陽電池モジュールに使用される主枠部材の端部の、（ａ）は部分平面図、（ｂ）は正面図、そして（ｃ）は、部分側面図である。
【図１５】実施の形態３における太陽電池モジュールに使用される副枠部材の端部の、（ａ）は部分平面図、（ｂ）は正面図、そして（ｃ）は、部分側面図である。
【図１６】実施の形態４における太陽電池モジュールの部分分解斜視図である。
【図１７】実施の形態４における太陽電池モジュールの部分平面図である。
【図１８】図１７のＤ−Ｄ断面図である。
【図１９】実施の形態４における太陽電池モジュールに使用される主枠部材の端部の、（ａ）は部分平面図、（ｂ）は正面図、そして（ｃ）は、部分側面図である。
【図２０】実施の形態４における太陽電池モジュールに使用される副枠部材の端部の、（ａ）は部分平面図、（ｂ）は正面図、そして（ｃ）は、部分側面図である。
【図２１】実施の形態５における太陽電池モジュールの部分分解斜視図である。
【図２２】実施の形態５における太陽電池モジュールの部分平面図である。
【図２３】図２２のＥ−Ｅ断面図である。
【図２４】実施の形態５における太陽電池モジュールに使用される主枠部材の端部の、（ａ）は部分平面図、（ｂ）は正面図、そして（ｃ）は、部分側面図である。
【図２５】実施の形態５における太陽電池モジュールに使用される副枠部材の端部の、（ａ）は部分平面図、（ｂ）は正面図、そして（ｃ）は、部分側面図である。
【図２６】実施の形態８における太陽電池モジュールの部分分解斜視図である。
【図２７】実施の形態８における太陽電池モジュールの部分平面図である。
【図２８】図２７のＦ−Ｆ断面図である。
【図２９】実施の形態８における太陽電池モジュールに使用される主枠部材の端部の、（ａ）は部分平面図、（ｂ）は正面図、そして（ｃ）は、部分側面図である。
【図３０】実施の形態８における太陽電池モジュールに使用される副枠部材の端部の、（ａ）は部分平面図、（ｂ）は正面図、そして（ｃ）は、部分側面図である。
【図３１】従来例の太陽電池モジュールの部分分解斜視図である。
【図３２】従来例の太陽電池モジュールの部分平面図である。
【図３３】図３２のＧ−Ｇ断面図である。
【図３４】従来例の太陽電池モジュールに使用される主枠部材の端部の、（ａ）は部分平面図、（ｂ）は正面図、そして（ｃ）は、部分側面図である。
【図３５】従来例の太陽電池モジュールに使用される副枠部材の端部の、（ａ）は部分平面図、（ｂ）は正面図、そして（ｃ）は、部分側面図である。
【図３６】実施の形態６における太陽電池モジュールの部分分解斜視図である。
【図３７】実施の形態６における太陽電池モジュールの部分平面図である。
【図３８】図３７のＨ−Ｈ断面図である。
【図３９】実施の形態６における太陽電池モジュールに使用される主枠部材の端部の、（ａ）は部分平面図、（ｂ）は正面図、そして（ｃ）は、部分側面図である。
【図４０】実施の形態６における太陽電池モジュールに使用される副枠部材の端部の、（ａ）は部分平面図、（ｂ）は正面図、そして（ｃ）は、部分側面図である。
【図４１】実施の形態７における太陽電池モジュールの部分分解斜視図である。
【図４２】実施の形態７における太陽電池モジュールの部分平面図である。
【図４３】図４２のＪ−Ｊ断面図である。
【図４４】実施の形態７における太陽電池モジュールに使用される主枠部材の端部の、（ａ）は部分平面図、（ｂ）は正面図、そして（ｃ）は、部分側面図である。
【図４５】実施の形態７における太陽電池モジュールに使用される副枠部材の端部の、（ａ）は部分平面図、（ｂ）は正面図、そして（ｃ）は、部分側面図である。
【符号の説明】
【０１２４】
１ａ  太陽電池モジュール
１ｂ  太陽電池モジュール
１ｃ  太陽電池モジュール
１ｄ  太陽電池モジュール
１ｅ  太陽電池モジュール
２  太陽電池モジュール
３  太陽電池モジュール
４ａ  太陽電池モジュール
５ａ  太陽電池モジュール
９  太陽電池パネル
１０ａ  主枠部材
１０ｂ  主枠部材
１０ｃ  主枠部材
１０ｄ  主枠部材
１０ｅ  主枠部材
１１  主外壁
１２  主保持上片
１３  主保持下片
１６  主底部片
１７  主外壁端部内側面
１８  補強塊
１９  ビス穴
２０ａ  副枠部材
２０ｂ  副枠部材
２０ｃ  副枠部材
２０ｄ  副枠部材
２０ｅ  副枠部材
２１  副外壁
２２  副保持上片
２３  副保持下片
２４  副底辺片
２５  副内壁
２６  副底部片
２８  ビス受け
３０  主枠部材
３１  主外壁
３２  主保持上片
３３  主保持下片
３４  主底辺片
３５  主内壁
３６  主底部片
３７  主外壁端部内側面
３８  スリット
３９  ビス穴
４０  副枠部材
４１  副外壁
４２  副保持上片
４３  副保持下片
４４  副底辺片
４５  副内壁
４６  副底部片
４７  副内壁端部内側面
４８  ビス受け
５０  主枠部材
６０  副枠部材
７０ａ  副枠部材
８０ａ  主枠部材
８１  ビス穴配設壁
９０ａ  副枠部材
９１  副底辺外片
【図１】
0004347375.tif 000002
【図２】
0004347375.tif 000003
【図３】
0004347375.tif 000004
【図４】
0004347375.tif 000005
【図５】
0004347375.tif 000006
【図６】
0004347375.tif 000007
【図７】
0004347375.tif 000008
【図８】
0004347375.tif 000009
【図９】
0004347375.tif 000010
【図１０】
0004347375.tif 000011
【図１１】
0004347375.tif 000012
【図１２】
0004347375.tif 000013
【図１３】
0004347375.tif 000014
【図１４】
0004347375.tif 000015
【図１５】
0004347375.tif 000016
【図１６】
0004347375.tif 000017
【図１７】
0004347375.tif 000018
【図１８】
0004347375.tif 000019
【図１９】
0004347375.tif 000020
【図２０】
0004347375.tif 000021
【図２１】
0004347375.tif 000022
【図２２】
0004347375.tif 000023
【図２３】
0004347375.tif 000024
【図２４】
0004347375.tif 000025
【図２５】
0004347375.tif 000026
【図２６】
0004347375.tif 000027
【図２７】
0004347375.tif 000028
【図２８】
0004347375.tif 000029
【図２９】
0004347375.tif 000030
【図３０】
0004347375.tif 000031
【図３１】
0004347375.tif 000032
【図３２】
0004347375.tif 000033
【図３３】
0004347375.tif 000034
【図３４】
0004347375.tif 000035
【図３５】
0004347375.tif 000036
【図３６】
0004347375.tif 000037
【図３７】
0004347375.tif 000038
【図３８】
0004347375.tif 000039
【図３９】
0004347375.tif 000040
【図４０】
0004347375.tif 000041
【図４１】
0004347375.tif 000042
【図４２】
0004347375.tif 000043
【図４３】
0004347375.tif 000044
【図４４】
0004347375.tif 000045
【図４５】
0004347375.tif 000046